(57)【要約】【課題】  端末からのドキュメント閲覧を可能とするとともに、端末からのドキュメント閲覧時に表示画面のコピー（プリントスクリーン）等によりユーザが画像情報を不正取得して、不正に印刷することを防止することと、特定のドライバをインストールした携帯端末での印刷時のみに画像が復元されるという正当なユーザが容易に使用でき、高いセキュリティも確保できる仕組みを提供すること。【解決手段】  携帯端末１４０からの要求に基づいて印刷管理サーバ１００がドキュメントの特定の画像情報部分（個人情報や社印画像等）をモザイク化した印刷情報を生成して携帯端末１４０に送信し、携帯端末１４０では、印刷管理サーバ１００から受信した印刷情報を表示し（モザイク化された状態で表示される）、また携帯端末１４０は印刷時には特定のプリンタドライバ１４１にてモザイク化前の状態に復元して（特定のプリンタドライバ１４１でのみ可能）、印刷実行する構成を特徴とする。【選択図】図１
2005107802.tif 000002
【特許請求の範囲】
【請求項１】
情報処理装置と印刷管理サーバとが所定の通信媒体を介して接続される印刷管理システムにおいて、
前記印刷管理サーバは、
複数のドキュメントファイルを記憶する第１の記憶手段と、
前記情報処理装置からの要求に基づいて前記第１の記憶手段から読み出した前記いずれかのドキュメントファイルに含まれる画像の少なくとも一部に所定の加工処理を施す加工手段と、
前記加工手段により加工処理された前記ドキュメントファイルを前記情報処理装置に送信処理する送信処理手段とを備え、
前記情報処理装置は、
所定のドキュメントファイルの送信を前記印刷管理サーバに要求する要求手段と、
前記印刷管理サーバから受信したドキュメントファイルを記憶する第２の記憶手段と、
前記第２の記憶手段に記憶されるドキュメントファイルを表示する表示手段と、
前記第２の記憶手段に記憶されるドキュメントファイルに含まれる画像を前記加工処理前の画像に復元して前記ドキュメントファイルの印刷情報を生成する生成手段と、
を備えることを特徴とする印刷管理システム。
【請求項２】
前記加工手段は、前記ドキュメントファイルに含まれる画像の少なくとも一部に所定の加工処理を施し、該加工処理された画像を復元するための復元キーを前記加工処理した画像に埋め込むものであり、
前記生成手段は、前記ドキュメントファイル中の加工処理された画像を検出し、該検出した加工処理された画像に埋め込まれた復元キーを抽出し、該抽出した復元キーに基づいて前記加工処理された画像を復元して前記ドキュメントファイルの印刷情報を生成することを特徴とする請求項１記載の印刷管理システム。
【請求項３】
前記加工手段は、前記加工処理された画像を復元するための復元キーを暗号化して前記加工された画像に埋め込むものであり、
前記生成手段は、前記検出された加工処理された画像に埋め込まれた暗号化された復元キーを抽出し、該抽出された復元キーを復号することを特徴とする請求項２記載の印刷管理システム。
【請求項４】
前記所定の加工処理は、所定の画像処理を含むことを特徴とする請求項１〜３のいずれかに記載の印刷管理システム。
【請求項５】
前記所定の画像処理は、所定のモザイク処理を含むことを特徴とする請求項４記載の印刷管理システム。
【請求項６】
前記印刷管理サーバは、前記ドキュメントファイルを前記情報処理装置に送信した履歴情報を記憶する履歴情報記憶手段を備えることを特徴とする請求項１〜５のいずれかに記載の印刷管理システム。
【請求項７】
前記情報処理装置は、印刷装置と通信可能に接続され、前記生成手段により生成されたドキュメントファイルの印刷情報を印刷装置に送信する送信手段を備えたことを特徴とする請求項６記載の印刷管理システム。
【請求項８】
前記情報処理装置は、前記印刷装置から送信される前記送信手段により送信された印刷情報に基づく印刷結果を、前記印刷管理サーバに通知する通知手段を備え、  前記印刷管理サーバは、前記情報処理装置から通知される印刷結果を前記履歴情報記憶手段に記憶させる制御手段を備えることを特徴とする請求項７記載の印刷管理システム。
【請求項９】
前記生成手段は、前記情報処理装置にインストールされたプリンタドライバを含むことを特徴とする請求項１〜８のいずれかに記載の印刷管理システム。
【請求項１０】
前記ドキュメントファイルは、ＰＤＦ形式のドキュメントファイルを含むことを特徴とする請求項１〜９のいずれかに記載の印刷管理システム。
【請求項１１】
情報処理装置と所定の通信媒体を介して接続される印刷管理サーバにおいて、
複数のドキュメントファイルを記憶する第１の記憶手段と、
前記情報処理装置からの要求に基づいて前記第１の記憶手段から読み出した前記いずれかのドキュメントファイルに含まれる画像の少なくとも一部に所定の加工処理を施す加工手段と、
前記加工手段により加工処理された前記ドキュメントファイルを前記情報処理装置に送信処理する送信処理手段と、
を備えることを特徴とする印刷管理サーバ。
【請求項１２】
印刷管理サーバと所定の通信媒体を介して接続される情報処理装置において、
所定のドキュメントファイルの送信を前記印刷管理サーバに要求する要求手段と、
前記印刷管理サーバから受信した所定の加工処理が施されたドキュメントファイルを記憶する記憶手段と、
前記記憶手段に記憶されるドキュメントファイルを表示する表示手段と、
前記記憶手段に記憶されるドキュメントファイルに含まれる画像を前記加工処理前の画像に復元して前記ドキュメントファイルの印刷情報を生成する生成手段と、
を備えることを特徴とする情報処理装置。
【請求項１３】
情報処理装置と印刷管理サーバとが所定の通信媒体を介して接続される印刷管理システムにおける印刷管理方法において、
所定のドキュメントファイルの送信を前記印刷管理サーバに要求する前記情報処理装置による要求工程と、
前記情報処理装置からの要求に基づいて、複数のドキュメントファイルを記憶する第１の記憶手段から読み出した前記いずれかのドキュメントファイルに含まれる画像の少なくとも一部に所定の加工処理を施す前記印刷管理サーバによる加工工程と、
該加工処理された前記ドキュメントファイルを前記情報処理装置に送信処理する前記印刷管理サーバによる送信処理工程と、
前記印刷管理サーバから受信したドキュメントファイルを第２の記憶手段に記憶する前記情報処理装置による記憶工程と、
前記第２の記憶手段に記憶されるドキュメントファイルを表示する前記情報処理装置による表示工程と、
前記第２の記憶手段に記憶されるドキュメントファイルに含まれる画像を前記加工処理前の画像に復元して前記ドキュメントファイルの印刷情報を生成する前記情報処理装置による生成工程と、
を備えることを特徴とする印刷管理方法。
【請求項１４】
情報処理装置と所定の通信媒体を介して接続される印刷管理サーバのプログラムであって、
前記印刷管理サーバを、
複数のドキュメントファイルを記憶する第１の記憶手段と、
前記情報処理装置からの要求に基づいて前記第１の記憶手段から読み出した前記いずれかのドキュメントファイルに含まれる画像の少なくとも一部に所定の加工処理を施す加工手段と、
前記加工手段により加工処理された前記ドキュメントファイルを前記情報処理装置に送信処理する送信処理手段として動作させるためのプログラム。
【請求項１５】
印刷管理サーバと所定の通信媒体を介して接続される情報処理装置のプログラムであって、
前記情報処理装置を、
所定のドキュメントファイルの送信を前記印刷管理サーバに要求する要求手段と、
前記印刷管理サーバから受信した所定の加工処理が施されたドキュメントファイルを記憶する記憶手段と、
前記記憶手段に記憶されるドキュメントファイルを表示する表示手段と、
前記記憶手段に記憶されるドキュメントファイルに含まれる画像を前記加工処理前の画像に復元して前記ドキュメントファイルの印刷情報を生成する生成手段として動作させるためのプログラム。
【請求項１６】
請求項１４又は１３に記載されたプログラムをコンピュータが読み取り可能に記憶した記録媒体。
【発明の詳細な説明】
【技術分野】
【０００１】
本発明は、情報処理装置と印刷管理サーバとが所定の通信媒体を介して接続される印刷管理システムの印刷管理制御に関するものである。
【背景技術】
【０００２】
例えば、保険外交員が携帯する携帯端末のハードディスクにドキュメントファイル（電子文書、例えばアドビ社製のＰＤＦ等）形式の保険証券データを記憶し、携帯端末とモバイルプリンタを接続して客先で保険契約を締結し、保険証券を印刷することも可能になっている。
【０００３】
あるいは、旅行代理店の営業員が、客先で旅行契約を締結し、旅行クーポンを印刷することも可能になっている。
【０００４】
また、特開２００１−１１７７４４号公報（特許文献１）には、入力されたデータを印刷するまで保護する印刷システムが開示されている。
【特許文献１】特開２００１−１１７７４４号公報
【発明の開示】
【発明が解決しようとする課題】
【０００５】
しかし、携帯端末は紛失の危険があり、携帯端末を紛失して、第三者がこの携帯端末のハードディスクを取り外すと、ハードディスク中の保険証券のデータや旅行クーポンのデータが悪用される虞がある。
【０００６】
このような悪用を防止するために、各ドキュメントファイル毎にパスワードを設定することも可能であるが、操作が煩雑になってしまう。
【０００７】
また、ＯＳレベルでドキュメントファイル保管用フォルダを暗号化することも可能であるが、専門知識がない外交員にこのような設定をさせるのは困難であり、ユーザ毎の権限設定をしないと他のユーザ（例えば外交員の上司）が内容を確認できないという不都合も生じうる。
【０００８】
また、パスワードを知られてしまうと外部に情報が流出してしまう。
【０００９】
なお、上記特許文献１の技術によれば、公開データ以外は印刷時まで復号化せず保護することができるが、ドキュメントファイルの秘匿すべき部分だけを保護して他の部分を表示することはできず、ドキュメントファイルの閲覧の場合に不自由であり、閲覧して確認することができないため、誤ったドキュメントを印刷してしまう恐れがあるという問題点があった。
【００１０】
本発明は、上記の問題点を解決するためになされたもので、本発明の目的は、端末からの要求に基づいて印刷管理サーバがドキュメントの特定の画像情報部分（個人情報や社印画像等）を加工（以下、モザイク化）した印刷情報（例えば、ＰＤＦファイル）を生成して端末に送信し、端末では、印刷管理サーバから受信した印刷情報を表示しモザイク化された状態で表示される）、また端末は印刷時には、特定のプリンタドライバにて印刷情報をモザイク化前の状態に復元して（特定のプリンタドライバでのみ可能）、印刷実行することにより、端末からのドキュメント閲覧を可能（即ち、セキュリティを保ったまま、印刷前に閲覧して印刷するドキュメントを確認することができ、誤ったドキュメントを印刷してしまうことも防止できる）とするとともに、端末からのドキュメント閲覧時に表示画面のコピー（プリントスクリーン）等によりユーザが画像情報を不正取得して、不正に印刷することを防止することと、特定のドライバをインストールした携帯端末での印刷時のみに画像が復元されるという正当なユーザが容易に使用でき、高いセキュリティも確保できる仕組みのシステムを構築することができる印刷管理システムおよび印刷管理サーバおよび情報処理装置および印刷管理方法およびプログラムおよび記録媒体を提供することである。
【課題を解決するための手段】
【００１１】
本発明の第１の発明は、情報処理装置（図１に示す携帯端末１４０）と印刷管理サーバ（図１に示す印刷管理サーバ１００）とが所定の通信媒体（図１に示す通信回線１５０）を介して接続される印刷管理システムにおいて、前記印刷管理サーバは、複数のドキュメントファイルを記憶する第１の記憶手段（図１に示すドキュメントファイル記憶部１０２，画像データ記憶部１０４）と、前記情報処理装置からの要求に基づいて前記第１の記憶手段から読み出した前記いずれかのドキュメントファイルに含まれる画像の少なくとも一部に所定の加工処理を施す加工手段（図２に示すＣＰＵ２１による加工処理，図５のステップＳ４２１，Ｓ４２２，図８のステップＳ５２１，Ｓ５２２）と、前記加工手段により加工処理された前記ドキュメントファイルを前記情報処理装置に送信処理する送信処理手段（図２に示すＣＰＵ２１による送信処理，図５のステップＳ４２４，図８のステップＳ５２３）とを備え、前記情報処理装置は、所定のドキュメントファイルの送信を前記印刷管理サーバに要求する要求手段（図３に示すＣＰＵ３１による要求処理，図５のステップＳ４０１，図８のステップＳ５０１）と、前記印刷管理サーバから受信したドキュメントファイルを記憶する第２の記憶手段（図３に示すＣＰＵ３１による記憶処理，図５のステップＳ４０３，図８のステップＳ５０３）と、前記第２の記憶手段に記憶されるドキュメントファイルを表示する表示手段（図３に示すＣＰＵ３１による表示処理，図５のステップＳ４０４，図８のステップＳ５０４）と、前記第２の記憶手段に記憶されるドキュメントファイルに含まれる画像を前記加工処理前の画像に復元して前記ドキュメントファイルの印刷情報を生成する生成手段（図３に示すＣＰＵ３１により実行されるプリンタドライバ１４１（図１）による生成処理，図５のステップＳ４０６，図８のステップＳ５０６）とを備えることを特徴とする。
【００１２】
本発明の第２の発明は、前記加工手段は、前記ドキュメントファイルに含まれる画像の少なくとも一部に所定の加工処理を施し、該加工処理された画像を復元するための復元キーを前記加工処理した画像に埋め込むものであり、前記生成手段は、前記ドキュメントファイル中の加工処理された画像を検出し、該検出した加工処理された画像に埋め込まれた復元キーを抽出し、該抽出した復元キーに基づいて前記加工処理された画像を復元して前記ドキュメントファイルの印刷情報を生成することを特徴とする。
【００１３】
本発明の第３の発明は、前記加工手段は、前記加工処理された画像を復元するための復元キーを暗号化して前記加工された画像に埋め込むものであり、前記生成手段は、前記検出された加工処理された画像に埋め込まれた暗号化された復元キーを抽出し、該抽出された復元キーを復号することを特徴とする。
【００１４】
本発明の第４の発明は、前記所定の加工処理は、所定の画像処理を含むことを特徴とする。
【００１５】
本発明の第５の発明は、前記所定の画像処理は、所定のモザイク処理を含むことを特徴とする。
【００１６】
本発明の第６の発明は、前記印刷管理サーバは、前記ドキュメントファイルを前記情報処理装置に送信した履歴情報を記憶する履歴情報記憶手段を備えることを特徴とする。
【００１７】
本発明の第７の発明は、前記情報処理装置は、印刷装置（図１に示す印刷装置１２０）と通信可能に接続され、前記生成手段により生成されたドキュメントファイルの印刷情報を印刷装置に送信する送信手段を備えることを特徴とする。
【００１８】
本発明の第８の発明は、前記情報処理装置は、前記印刷装置から送信される前記送信手段により送信された印刷情報に基づく印刷結果を、前記印刷管理サーバに通知する通知手段（図３に示すＣＰＵ３１による通知処理，図８のステップＳ５１０，Ｓ５１１）を備え、前記印刷管理サーバは、前記情報処理装置から通知される印刷結果を前記履歴情報記憶手段（図１に示す印刷履歴データ１０１）に記憶させる制御手段（図２に示すＣＰＵ２１による記憶処理，図８のステップＳ５２４，Ｓ５２５）を備えることを特徴とする。
【００１９】
本発明の第９の発明は、前記生成手段は、前記情報処理装置にインストールされたプリンタドライバ（図１に示すプリンタドライバ１４１）を含むことを特徴とする。
【００２０】
本発明の第１０の発明は、前記ドキュメントファイルは、ＰＤＦ形式のドキュメントファイルを含むことを特徴とする。
【００２１】
本発明の第１１の発明は、情報処理装置（図１に示す携帯端末１４０）と所定の通信媒体（図１に示す通信回線１５０）を介して接続される印刷管理サーバ（図１に示す印刷管理サーバ１００）において、複数のドキュメントファイルを記憶する第１の記憶手段（図１に示すドキュメントファイル記憶部１０２，画像データ記憶部１０４）と、前記情報処理装置からの要求に基づいて前記第１の記憶手段から読み出した前記いずれかのドキュメントファイルに含まれる画像の少なくとも一部に所定の加工処理を施す加工手段（図２に示すＣＰＵ２１による加工処理，図５のステップＳ４２１，Ｓ４２２，図８のステップＳ５２１，Ｓ５２２）と、前記加工手段により加工処理された前記ドキュメントファイルを前記情報処理装置に送信処理する送信処理手段（図２に示すＣＰＵ２１による送信処理，図５のステップＳ４２４，図８のステップＳ５２３）とを備えることを特徴とする。
【００２２】
本発明の第１２の発明は、印刷管理サーバ（図１に示す印刷管理サーバ１００）と所定の通信媒体（図１に示す通信回線１５０）を介して接続される情報処理装置（図１に示す携帯端末１４０）において、所定のドキュメントファイルの送信を前記印刷管理サーバに要求する要求手段（図３に示すＣＰＵ３１による要求処理，図５のステップＳ４０１，図８のステップＳ５０１）と、前記印刷管理サーバから受信した所定の加工処理が施されたドキュメントファイルを記憶する記憶手段（図３に示すＣＰＵ３１による記憶処理，図５のステップＳ４０３，図８のステップＳ５０３）と、前記記憶手段に記憶されるドキュメントファイルを表示する表示手段（図３に示すＣＰＵ３１による表示処理，図５のステップＳ４０４，図８のステップＳ５０４）と、前記記憶手段に記憶されるドキュメントファイルに含まれる画像を前記加工処理前の画像に復元して前記ドキュメントファイルの印刷情報を生成する生成手段（図３に示すＣＰＵ３１により実行されるプリンタドライバ１４１（図１）による生成処理，図５のステップＳ４０６，図８のステップＳ５０６）とを備えることを特徴とする。
【００２３】
本発明の第１３の発明は、情報処理装置と印刷管理サーバとが所定の通信媒体を介して接続される印刷管理システムにおける印刷管理方法において、所定のドキュメントファイルの送信を前記印刷管理サーバに要求する前記情報処理装置による要求工程（図５のステップＳ４０１，図８のステップＳ５０１）と、前記情報処理装置からの要求に基づいて、複数のドキュメントファイルを記憶する第１の記憶手段から読み出した前記いずれかのドキュメントファイルに含まれる画像の少なくとも一部に所定の加工処理を施す前記印刷管理サーバによる加工工程（図５のステップＳ４２１，Ｓ４２２，図８のステップＳ５２１，Ｓ５２２）と、該加工処理された前記ドキュメントファイルを前記情報処理装置に送信処理する前記印刷管理サーバによる送信処理工程（図５のステップＳ４２４，図８のステップＳ５２３）と、前記印刷管理サーバから受信したドキュメントファイルを第２の記憶手段に記憶する前記情報処理装置による記憶工程（図５のステップＳ４０３，図８のステップＳ５０３）と、前記第２の記憶手段に記憶されるドキュメントファイルを表示する前記情報処理装置による表示工程（図５のステップＳ４０４，図８のステップＳ５０４）と、前記第２の記憶手段に記憶されるドキュメントファイルに含まれる画像を前記加工処理前の画像に復元して前記ドキュメントファイルの印刷情報を生成する前記情報処理装置による生成工程（図５のステップＳ４０６，図８のステップＳ５０６）とを備えることを特徴とする。
【００２４】
本発明の第１４の発明は、情報処理装置（図１に示す携帯端末１４０）と所定の通信媒体（図１に示す通信回線１５０）を介して接続される印刷管理サーバ（図１に示す印刷管理サーバ１００）のプログラムであって、前記印刷管理サーバを、複数のドキュメントファイルを記憶する第１の記憶手段（図１に示すドキュメントファイル記憶部１０２，画像データ１０４）と、前記情報処理装置からの要求に基づいて前記第１の記憶手段から読み出した前記いずれかのドキュメントファイルに含まれる画像の少なくとも一部に所定の加工処理を施す加工手段（図２に示すＣＰＵ２１による加工処理，図５のステップＳ４２１，Ｓ４２２，図８のステップＳ５２１，Ｓ５２２）と、前記加工手段により加工処理された前記ドキュメントファイルを前記情報処理装置に送信処理する送信処理手段（図２に示すＣＰＵ２１による送信処理，図５のステップＳ４２４，図８のステップＳ５２３）として動作させることを特徴とする。
【００２５】
本発明の第１５の発明は、印刷管理サーバ（図１に示す印刷管理サーバ１００）と所定の通信媒体（図１に示す通信回線１５０）を介して接続される情報処理装置（図１に示す携帯端末１４０）のプログラムであって、前記情報処理装置を、所定のドキュメントファイルの送信を前記印刷管理サーバに要求する要求手段（図３に示すＣＰＵ３１による要求処理，図５のステップＳ４０１，図８のステップＳ５０１）と、前記印刷管理サーバから受信した所定の加工処理が施されたドキュメントファイルを記憶する記憶手段（図３に示すＣＰＵ３１による記憶処理，図５のステップＳ４０３，図８のステップＳ５０３）と、前記記憶手段に記憶されるドキュメントファイルを表示する表示手段（図３に示すＣＰＵ３１による表示処理，図５のステップＳ４０４，図８のステップＳ５０４）と、前記記憶手段に記憶されるドキュメントファイルに含まれる画像を前記加工処理前の画像に復元して前記ドキュメントファイルの印刷情報を生成する生成手段（図３に示すＣＰＵ３１により実行されるプリンタドライバ１４１（図１）による生成処理，図５のステップＳ４０６，図８のステップＳ５０６）として動作させることを特徴とする。
【００２６】
本発明の第１６の発明は、第１４又は１３の発明に記載されたプログラムをコンピュータが読み取り可能に記録媒体に記憶したことを特徴とする。
【発明の効果】
【００２７】
本発明によれば、情報処理装置側に、閲覧時は秘匿され、特定のプリンタドライバを経由した印刷時にのみ確認できる画像情報を提供することができ、重要部分の改竄を抑制して印刷物の一意性を高めることができ、また、重要情報の外部流出を防止することが可能になる。
【００２８】
また、外交員や営業員が独自に他のプリンタドライバをインストールした情報処理装置により、密かに保険証券や旅行クーポン等を余分に印刷しようとしても重要部分の画像がモザイク化等により加工されたままになるので、不正印刷を防止し、所定のプリンタ及びプリンタで印刷した場合は印刷部数等を容易に管理することもできる等の効果を奏する。
【発明を実施するための最良の形態】
【００２９】
〔第１実施形態〕
図１は、本発明の第１実施形態を示す印刷管理システムのシステム構成を示す図である。
【００３０】
図において、１００は印刷管理サーバで、印刷履歴データ１０１とドキュメントファイル記憶部１０２と画像データ記憶部１０４を後述する図２に示すハードディスク２８に記憶している。
【００３１】
印刷履歴データ１０１は、携帯端末１４０等から要求された印刷の印刷履歴を示すデータである。なお、印刷履歴データ１０１の詳細は、図４に示す。
【００３２】
ドキュメントファイル記憶部１０２は、旅行クーポンや保険証券や有価証券等を印刷するための文字情報（顧客名称、契約番号を含む契約情報等）と定型部分（罫線や地紋等）等のドキュメントファイルを複数格納する。
【００３３】
画像データ記憶部１０４は、社印画像や代表取締役のサイン画像、顧客の個人情報の一部等を画像化した画像データを複数記憶する。
【００３４】
１２０は、印刷装置で、ネットワーク接続可能な印刷装置又はＭＦＰ（Ｍｕｌｔｉ  Ｆｕｎｃｔｉｏｎ  Ｐｅｒｉｐｈｅｒａｌ：多機能プリンタ）等であり、電子写真方式（例えばレーザビーム方式，ＬＥＤ方式）でも、液晶シャッタ方式、インクジェット方式、熱転写方式、昇華方式でもその他のプリント方式であってもよい。また、印刷装置１２０は、ネットワーク（通信回線１５０）を介して携帯端末１４０，業務ＰＣ１３０に接続されるものであっても、セントロニクス，ＵＳＢ等のケーブにより直接、携帯端末１４０，業務ＰＣ１３０に接続されるものであってもよい。
【００３５】
１３０は、業務ＰＣで、ハードディスクを備えているリッチ（高機能）なパーソナルコンピュータ（ＰＣ）である。
【００３６】
１４０は携帯端末で、小型ノート等のモバイルＰＣ、又はＰＤＡや携帯電話等であり、後述するプリンタドライバ１４１がインストールされているものとする。
【００３７】
図２は、図１に示した印刷管理サーバ１００のハードウェア構成を示すブロック図である。
【００３８】
図に示すように、ＣＰＵ２１と、ＲＡＭ２２と、ＲＯＭ２３と、ネットワークアダプタ（ＬＡＮアダプタ）２４と、ビデオアダプタ２５と、キーボード２６と、マウス２７等のポインティングデバイスと、ハードディスク２８と、ＣＤ−ＲＯＭドライブ２９，ＤＶＤ−ＲＯＭドライブ等の記録媒体ドライブ（記憶媒体ドライブ）とを備え、これらがシステムバス２０を介して互いに接続されている。
【００３９】
ＣＰＵ２１は、ＲＯＭ２３又はハードディスク２８にＣＤ−ＲＯＭドライブ２９に記憶保存されたプログラムを読み出して後述する各種制御処理を実行する。ハードディスク２８は、図１に示したドキュメントファイル記憶部１０２，画像データ記憶部１０４等を備え、ＣＰＵ２１により実行される各種プログラムや、図１に示した印刷履歴データ１０１，ドキュメントファイル，画像データ等を記憶する。ＲＡＭ２２は、ＣＰＵ２１が所定の処理を実行する際にデータ等を一時記憶させるためのメモリである。ネットワークアダプタ２４は、通信回線１５０に接続するための通信インターフェースである。なお、図１に示した業務ＰＣ１３０も、印刷管理サーバ１００と同様の構成とするが、業務ＰＣ１３０は、更にモニタを有する。
【００４０】
図３は、図１に示した携帯端末１４０のハードウェア構成を示すブロック図である。
【００４１】
図に示すように、ＣＰＵ３１と、ＲＡＭ３２と、ＲＯＭ３３と、ネットワークアダプタ（ＬＡＮアダプタ）３４と、液晶表示部３５と、キーボード３６と、マウス３７等のポインティングデバイスと、ハードディスク３８と（、図示しないＣＤ−ＲＯＭドライブ，ＤＶＤ−ＲＯＭドライブ等の記録媒体ドライブ（記憶媒体ドライブ）と）を備え、これらがシステムバス３０を介して互いに接続されている。
【００４２】
なお、携帯端末１４０は、ハードディスク３８の代りに不揮発性メモリを備える構成であってもよい。また、キーボード３６，マウス３７等のポインティングデバイスの代わりにタッチパネルを備える構成であってもよい。
【００４３】
ＣＰＵ３１は、ＲＯＭ３３又はハードディスク３８等に記憶保存されたプログラム（図１に示したプリンタドライバ１４１を含む）を読み出して各種制御処理を実行する。ＲＡＭ３２は、ＣＰＵ３１が所定の処理を実行する際にデータ等を一時記憶させるためのメモリである。ネットワークアダプタ３４は、通信回線１５０に接続するための通信インターフェースである。
【００４４】
ハードディスク３８は、ＣＰＵ３１が実行する各種プログラム（図１に示したプリンタドライバ１４１を含む）やデータ等を格納する。
【００４５】
図４は、図１に示した印刷履歴データのデータ構造の一例を示す模式図である。
【００４６】
図に示すように、印刷履歴データ１０１は、管理Ｎｏ．６０１，ＩＰアドレス６０２，ファイルＮｏ．６０３，ページ６０４，印刷日時６０５，ユーザＩＤ６０６等を含むデータである。
【００４７】
管理Ｎｏ．６０１は、印刷管理サーバ１００が印刷要求を受信するごとに新たに採番される一意の番号である。
【００４８】
ＩＰアドレス６０２は、印刷要求を行った機器のＩＰアドレスを示す。ファイルＮｏ．６０３は、印刷要求されたドキュメントファイル記憶部１０２内のファイル番号を示す。ページ６０４は、ファイルＮｏ．６０３に対応するドキュメントのページ数を示す。
【００４９】
印刷日時６０５は、印刷要求された日時を示す。ユーザＩＤ６０６は、印刷要求を行ったユーザＩＤを示す。
【００５０】
以下、図５に示すフローチャートを参照して、本発明の第１実施形態における印刷管理処理手順について説明する。
【００５１】
図５は、本発明の印刷管理システムにおける第１の制御処理手順の一例を示すフローチャートであり、印刷管理処理に対応する。
【００５２】
なお、Ｓ４０１〜Ｓ４０８は、図１に示した携帯端末１４０内のハードディスク３８又はその他の記録媒体に格納されたプログラムに基づいてＣＰＵ３１の制御の下に実行されるステップを示す。また、Ｓ４２１〜Ｓ４２４は、図１に示した印刷管理サーバ１００のハードディスク２８又はその他の記録媒体に格納されたプログラムに基づいてＣＰＵ２１の制御の下に実行されるステップを示す。さらに、Ｓ４４１〜Ｓ４４２は、図１に示した印刷装置１２０の図示しないハードディスク又はその他の記録媒体に格納されたプログラムに基づいてＣＰＵの制御の下に実行されるステップを示す。
【００５３】
まず、ステップＳ４０１において、携帯端末１４０は、マウス３７等の指示による印刷指定要求を検知すると、携帯端末１４０の液晶表示部３５に印刷条件を設定するための印刷指定画面（不図示）を表示する。そして、印刷指定画面において、ユーザがキーボード３６，マウス３７等により印刷条件を設定し、印刷条件送信指示を行うと、携帯端末１４０は、印刷条件送信指定を検知し、ステップＳ４０２に進む。
【００５４】
ステップＳ４０２では、携帯端末１４０は、印刷指定画面より入力された条件情報を印刷管理サーバ１００に送信する。この送信される条件情報は、例えば旅行業務では、旅行クーポン種別，契約番号，契約者等、また保険証券業務では、保険種別，契約番号，契約者等を含むものとする。
【００５５】
そして、印刷管理サーバ１００は、ステップＳ４２１において、携帯端末１４０から送信された条件情報を受信すると、該受信した条件情報をハードディスク２８に記憶する。
【００５６】
次に、ステップＳ４２２において、印刷管理サーバ１００は、受信した印刷条件に基づいてドキュメントファイル記憶部１０２及び画像データ記憶部１０４を照会して、例えば図６に示すドキュメント８０１，画像８０４，８０５等を取得する。なお、ドキュメント８０１は、画像８０４，８０５を対応付ける情報８０２，８０３と、該対応つけられた画像情報にモザイク化が必要である場合には、その旨を示す情報（不図示）を含んでいるものとする。そして、印刷管理サーバ１００は、ＲＡＭ２２のワークエリアで、（１）埋込み画像の可逆モザイク処理、（２）可逆モザイク復元キー情報の暗号化処理、（３）暗号化された可逆モザイク復元キー情報の画像データへの埋込み処理が行われ、（４）印刷情報生成処理を行い、該生成された印刷情報（例えば、ＰＤＦ形式のデータ）はＲＡＭ２２からハードディスク２８に記憶される。
【００５７】
なお、（１）の「埋込み画像の可逆モザイク処理」とは、画像データ記憶部１０４から取得した画像のうちモザイク化が必要な画像（画像８０４，８０５）を、可逆可能にモザイク処理し、例えば画像８０６，８０７のように画像処理する処理を示す。
【００５８】
また、（２）の「可逆モザイク復元キー情報の暗号化処理」とは、モザイク処理された画像８０６，８０７を、画像８０４，８０５のように復元する際に用いる復元キーを所定の暗号化キーを用いた所定の暗号化方法により暗号化する処理を示す。なお、所定の暗号化キーは、管理者により設定変更可能にしてもよいし、固定のものであってもよい。
【００５９】
さらに、（３）の「暗号化された可逆モザイク復元キー情報の画像データへの埋込み処理」とは、暗号化された復元キーを、８０８，８０９に示すように、暗号化された画像８０６，８０７に公知の電子すかし等の方法により埋め込む処理を示す。
【００６０】
また、（４）の「印刷情報生成処理」とは、モザイク処理された画像８０６（暗号化された復元キー８０８を埋め込み済み），モザイク処理された画像８０７（暗号化された復元キー８０９を埋め込み済み）をドキュメント８０１に貼り付け、そして印刷情報８１０（例えば、ＰＤＦ形式のデータ）を生成する処理を示す。但し、印刷情報は、ＰＤＦ形式のデータに限られるものではない。
【００６１】
次に、ステップＳ４２３において、印刷管理サーバ１００は、図４に示した印刷履歴データ１０１にデータ（図４に示したファイルレイアウト内のデータ）を追加更新する。なお、ステップＳ４２３の時点では、プリンタＩＤ６０６と印刷日時６０５は空白とする。
【００６２】
次に、ステップＳ４２４では、印刷管理サーバ１００は、印刷情報８１０を携帯端末１４０に送信する。
【００６３】
そして、携帯端末１４０は、ステップＳ４０３において、印刷管理サーバ１００から送信された印刷情報８１０を受信し、ステップＳ４０４において、携帯端末１４０は、印刷のプレビュー画面を液晶表示部３５に表示する。このとき、ステップＳ４２２でモザイク処理された画像は、図６（ｂ）に示すように、そのままモザイクがかかった状態で表示される。
【００６４】
次に、ステップＳ４０５において、携帯端末１４０は、マウス３７等により図示しないプレビュー画面の印刷ボタンが押下されたか否かを判定し、押下されるまで待機する。一方、ステップＳ４０５で、印刷ボタンが押下されたと判定した場合には、ステップＳ４０６に進む。
【００６５】
ステップＳ４０６において、携帯端末１４０は、グラフィック・デバイス・インタフェース（ＧＤＩ）がプリンタドライバ１４１を呼び出し、印刷データ８１０を引渡した後、ＲＡＭ３２に読み出されたプリンタドライバ１４１により以下の（１１）〜（１５）の処理を実行する。（１１）印刷データ８１０からモザイク画像８０６，８０７を検出し、（１２）モザイク復元キー８０８，８０９をモザイク画像８０６，８０７から抽出し、（１３）抽出したモザイク復元キー８０８，８０９を所定の復号キーによって復号し、（１４）復号したモザイク復元キー８０８，８０９によってモザイク画像を復元し、（１５）復元した画像と合成して最終的な印刷情報（例えば、図６（ｃ）に示す８１１）を生成する。なお、所定の復号キーは、管理者により設定変更可能にしてもよいし、固定のものであってもよい。
【００６６】
そして、ステップＳ４０７において、携帯端末１４０は、印刷情報８１１を印刷装置１２０に送信する。
【００６７】
そして、ステップＳ４０８において、印刷情報８１１が、印刷装置１２０に正常に送信されたかが判定され、印刷装置１２０に正常に送信されと判定した場合には、処理を終える。一方、印刷装置１２０に送信されなかったと判定した場合には、ステップＳ４０７の処理に戻り、リトライする。なお、正常に送信されずにステップＳ４０７に戻った場合には、所定回数リトライされ、所定回数を超えても正常に送信されない場合はエラーメッセージを表示して処理を終了するように構成してもよい。
【００６８】
印刷装置１２０は、ステップＳ４４１において、携帯端末１４０より送信された印刷情報８１１を受信し、正常に受信した場合には、その旨を携帯端末１４０に返信する。
【００６９】
そして、ステップＳ４４２において、印刷装置１２０は、印刷情報８１１の印刷処理を実行する。
【００７０】
なお、本印刷管理システムにおける印刷情報は、上記ステップＳ４２２の処理（１）〜（４）により、所定の画像処理（モザイク化等）が施されているため、通常のプリンタドライバでは、所定の画像処理（モザイク化等）が掛かったままの状態（例えば図６（ｂ））の印刷結果しか得られない。
【００７１】
しかしながら、プリンタドライバ１４１を用いることにより、上記ステップＳ４０６のプリンタドライバ１４１による処理（１１）〜（１５）により、前記所定の画像処理（モザイク化等）が掛けられた画像を元の画像に復元した状態（例えば図６（ｃ））の印刷結果を得ることができる。
【００７２】
以上の処理によれば、特定ドライバ（プリンタドライバ１４１）を経由した印刷でのみ有効となる画像により、重要部分の改竄を抑制して印刷物の一意性を高めることができるとともに、重要情報の外部流出を防止することが可能になる。
【００７３】
また、外交員や営業員が、独自に他のプリンタドライバをインストールして、密かに保険証券や旅行クーポン等を余分に印刷しようとしても、重要部分の画像が使用不能な状態に画像処理化（モザイク化）されたままになるので、不正印刷を防止することができるという効果を奏する。
【００７４】
〔第２実施形態〕
本実施形態では、印刷完了結果を携帯端末１４０から印刷管理サーバ１００に通知し、実際に印刷された部数等を含めた形態で、印刷履歴を管理する構成について示す。
【００７５】
図７は、本発明の第２実施形態における印刷履歴データ１０１のデータ構造の一例を示す模式図であり、図４と同一のものには同一の符号を付してある。
【００７６】
図に示すように、印刷履歴データ１０１は、管理Ｎｏ．６０１，ＩＰアドレス６０２，ファイルＮｏ．６０３，ページ６０４，印刷日時６０５，ユーザＩＤ６０６に加えて、さらにプリンタＩＤ７０１，印刷結果（ｒｅｓｕｌｔ）７０２，印刷部数７０３等を含むデータである。
【００７７】
プリンタＩＤ７０１は、印刷処理を行ったプリンタのプリンタＩＤを示す。また、印刷結果（ｒｅｓｕｌｔ）７０２は、印刷結果（印刷正常終了（ｏｋ）／印刷異常終了（ｎｇ））を示す。印刷部数７０３は、印刷を行った部数を示す。なお、印刷結果７０２が印刷異常終了（ｎｇ）の場合でも、例えば１部の印刷は正常終了している場合には「１」が格納されるものとする。
【００７８】
以下、図８に示すフローチャートを参照して、本発明の第２実施形態における印刷管理処理手順について説明する。
【００７９】
図８は、本発明の印刷管理システムにおける第２の制御処理手順の一例を示すフローチャートであり、本発明の第２実施形態における印刷管理処理に対応する。
【００８０】
なお、Ｓ５０１〜Ｓ５１２は、図１に示した携帯端末１４０内のハードディスク３８又はその他の記録媒体に格納されたプログラムに基づいてＣＰＵ３１の制御の下に実行されるステップを示す。また、Ｓ５２１〜Ｓ５２７は、図１に示した印刷管理サーバ１００のハードディスク２８又はその他の記録媒体に格納されたプログラムに基づいてＣＰＵ２１の制御の下に実行されるステップを示す。さらに、Ｓ５４１〜Ｓ５４３は、図１に示した印刷装置１２０の図示しないハードディスク又はその他の記録媒体に格納されたプログラムに基づいてＣＰＵの制御の下に実行されるステップを示す。
【００８１】
なお、本フローチャートの説明では、図５に示したフローチャートと異なる部分についてのみ説明し、共通する部分は説明は省略する。
【００８２】
詳細には、本フローチャートのステップＳ５０１〜Ｓ５０７は、図５のステップＳ４０１〜Ｓ４０７と同一のステップを示すため、説明は省略する。また、本フローチャートのステップＳ５２１〜Ｓ５２３は、図５のステップＳ４２１〜Ｓ４２３と同一のステップを示すため、説明は省略する。さらに、本フローチャートのステップＳ５４１〜Ｓ５４２は、図５のステップＳ４４１〜Ｓ４４２と同一のステップを示すため、説明は省略する。
【００８３】
ステップＳ５４２の印刷処理を終了すると、ステップＳ５４３において、印刷装置１２０は、印刷が完了した旨のメッセージを携帯端末１４０に送信する。
【００８４】
携帯端末１４０は、ステップＳ５０８において、印刷装置１２０から送信された印刷が完了した旨のメッセージを受信する。
【００８５】
そして、ステップＳ５０９において、携帯端末１４０は、該受信したメッセージに基づいて、印刷が正常に終了したか否かを判定し、印刷が正常に終了したと判定した場合には、ステップＳ５１０に進み、一方、印刷が正常に終了しなかったと判定した場合には、ステップＳ５１１に進む。
【００８６】
ステップＳ５１０では、携帯端末１４０は、図７に示したレイアウトの印刷履歴情報（６０１〜６０４，７０１〜７０３（但し、印刷結果７０２に「ｏｋ」を格納））を、印刷管理サーバ１００に送信する。
【００８７】
一方、ステップＳ５１１では、携帯端末１４０は、印刷が正常に終了しなかった旨のエラー情報（図７に示したレイアウトの印刷履歴情報（６０１〜６０４，７０１〜７０３と同様のレイアウトであり、印刷結果に「ｎｇ」を格納したもの）を、印刷管理サーバ１００に送信する。
【００８８】
携帯端末１４０から印刷履歴情報が送信された場合には、印刷管理サーバ１００は、ステップＳ５２４において、携帯端末１４０から送信された印刷履歴情報を受信し、ＲＡＭ２２内の印刷履歴データ１０１を更新し、ステップＳ５２６に進む。
【００８９】
一方、携帯端末１４０からエラー情報が送信された場合には、印刷管理サーバ１００は、ステップＳ５２５において、携帯端末１４０から送信されたエラー情報を受信し、ＲＡＭ２２内の印刷履歴データ１０１を更新し、ステップＳ５２６に進む。
【００９０】
そして、ステップＳ５２６において、印刷管理サーバ１００は、ＲＡＭ２２内に格納された印刷履歴情報又はエラー情報を、印刷履歴データ１０１に追加する。
【００９１】
そして、ステップＳ５２７において、印刷管理サーバ１００は、印刷履歴の登録（追加）が完了した旨のメッセージ（受信完了）を携帯端末１４０に送信する。
【００９２】
すると、携帯端末１４０は、ステップＳ５１２において、印刷管理サーバ１００から送信されたメッセージ（受信完了）を受信し、液晶表示部３５にメッセージを表示し、処理を終了する。
【００９３】
なお、印刷管理サーバ１００によるステップＳ５２３の直後に、印刷情報を携帯端末１４０に送信した旨の情報を図７に示したレイアウトの印刷履歴情報（６０１〜６０４，７０１〜７０３）に記憶するステップ（但し、プリンタＩＤ７０１，印刷結果７０２，印刷部数は空白のままにしておく）を追加するように構成してもよい。
【００９４】
また、本実施形態では、ステップＳ５０７〜Ｓ５１１の処理は、ハードディスク３８からＲＡＭ３２に読み出されたプリンタドライバ１４１により実行されるものとするが、この形態に限らず、ステップＳ５２２でドキュメントファイルに命令コード（例えばＪａｖａ（登録商標）Ｓｃｒｉｐｔ等）を埋め込み、ステップＳ５０６でプリンタドライバ１４１がドキュメントファイルからＲＡＭ３２に読み出し、該読み出された命令コード（例えばＪａｖａ（登録商標）Ｓｃｒｉｐｔ等）によりステップＳ５０７〜Ｓ５１１を実行するように構成してもよい。
【００９５】
以上の処理によれば、上記第１実施形態の効果に加えて、印刷の正常終了までを報告し、より厳密な印刷部数管理を行うことができる等の効果を奏する。
【００９６】
また、上記各実施形態では、印刷管理サーバ１００は、携帯端末１４０から送信された条件情報を受信したことに応じて、重要画像にモザイク化を施す構成について説明したが、予め重要画像にモザイク化を施した画像を生成しておき、携帯端末１４０から送信された条件情報を受信したことに応じて、前記予め生成しておいたモザイク画像に基づく印刷情報を、携帯端末１４０に送信するように構成してもよい。
【００９７】
また、上記各実施形態では、印刷管理サーバ１００は、携帯端末１４０から送信された条件情報を受信したことに応じて、モザイク化した印刷情報を携帯端末１４０に送信する場合について説明したが、携帯端末１４０からの要求は印刷管理サーバ１００の有する情報の閲覧要求であってもよい。即ち、印刷管理サーバ１００は、携帯端末１４０から送信された閲覧要求を受信したことに応じて、モザイク化した画像を含む情報を携帯端末１４０に送信し、当該モザイク化された画像を含む情報を受信した携帯端末１４０は、該画像をモザイク化されたままの状態で表示し、印刷時にのみプリンタドライバによりモザイク化された画像を元の画像に復元して印刷するように構成してもよい。なお、この場合、印刷した旨（部数等を含む）を、携帯端末１４０から印刷管理サーバ１００に送信するものとする。
【００９８】
これにより、所定のドキュメントを閲覧する場合に、個人情報等をモザイク等で保護し、一般のユーザでは、閲覧，印刷できないようにする。また、プリンタドライバ１４１を使用できるユーザのみが印刷可能となり、個人情報を容易に保護することができる。
【００９９】
なお、上記携帯端末１４０による各種処理は、図１に示した業務ＰＣ１３０で行ってもよい。
【０１００】
以上説明したように、上記各実施形態では、携帯端末１４０からの閲覧要求に応じて、印刷管理サーバ１００側で、保持されるドキュメントファイルに対して、ドキュメントファイル内の埋め込み画像の可逆モザイク処理，モザイク復元Ｋｅｙの暗号化，暗号化されたモザイク復元Ｋｅｙのモザイク画像への埋め込み，ドキュメントファイル（例えば、ＰＤＦ形式のドキュメントファイル）の生成を行い、携帯端末１４０へ送信し、携帯端末１４０側のブラウザでドキュメントファイルの閲覧（特定の画像部分はモザイクとして閲覧不可能）を行い、印刷指示に応じて、ＧＤＩが特定のプリンタドライバ１４１を呼び出して印刷データを引き渡し、プリンタドライバ１４１にてドキュメントファイル内のモザイク化画像の検出，モザイク復元Ｋｅｙの抽出と復号化，モザイク化画像の復元を行い、印刷装置１２０に送信して印刷実行するので、携帯端末１４０に特定のプリンタドライバ１４１を予めインストールしておけば、上述したように、閲覧時は秘匿され、印刷時にのみ確認できる画像情報を提供する印刷管理システムを構築することができ、簡単な設定で携帯端末１４０中のドキュメントファイルを他の端末で閲覧したり印刷したりすることを制限し、また、これらドキュメントファイルの不正印刷を防止することができる。
【０１０１】
従って、上記各実施形態では、閲覧時には特定の画像情報部分（個人情報や社印画像等）をモザイク化し、携帯端末での表示時には、モザイク化された状態で表示して、表示画面のコピー（プリントスクリーン）等によりユーザが画像情報を取得し不正に印刷することを防止すると共に、特定のドライバをインストールした携帯端末での印刷時のみに画像が復元される仕組みを提供することができる。即ち、セキュリティを保ったまま印刷前に閲覧して印刷するドキュメントを確認することができ、誤ったドキュメントを印刷してしまうことも防止できる。
【０１０２】
なお、上記各実施形態では、モザイク処理を施す場合について説明したが、モザイク処理以外の画像処理を施す構成も、本発明に含まれることはいうまでもない。
【０１０３】
例えば、画像に所定の画像（例えば、マスク画像（例えば、黒のベタ）や所定のロゴや「使用できません！」「サンプル」「見本」等のメッセージ画像や元の画像にこれらメッセージ画像を上書きした画像等）を合成する画像処理等であってもよいし、ビットレートを落とし画像を粗くするような画像処理であってもよい。即ち、その画像そのものを不正使用できないように加工するための画像処理は全て含まれるものとする。
【０１０４】
さらに、画像処理のみでなく、ドキュメントファイル内の少なくとも１箇所（例えば、個人情報等の秘匿情報部分）の文字データを暗号化して所定の文字に置き換えるようなドキュメントファイルの加工処理を施し、該加工したドキュメントファイルを前記携帯端末に送信する構成も、本発明に含まれることはいうまでもない。なお、上記加工処理は、文字データの暗号化のみでなく、上述した画像処理および画像処理と文字データの暗号化処理等を含めたものであってもよい。
【０１０５】
また、上記実施形態では、ドキュメントファイルと画像データをドキュメントファイル記憶部１０２，画像データ記憶部１０４に分けて印刷管理サーバ１００で保持させる構成について説明したが、画像データを予めドキュメントファイル内に埋め込んだ状態で印刷管理サーバ１００に保持させておき、さらにドキュメントファイルに対応させて加工個所データ（当該ドキュメントファイル内の加工箇所（画像部分に限らずテキスト部分でもよい）を座標等で示したデータ）をも印刷管理サーバ１００に保持させるように構成してもよい。
【０１０６】
そして、印刷管理サーバ１００は、携帯端末１４０からの要求に基づいて、ドキュメントファイルの加工個所データに対応する個所を加工して印刷データを生成するものとする。
【０１０７】
また、印刷管理サーバ１００は、印刷部数等に応じて課金するように構成してもよい。
【０１０８】
これにより、各種データ販売を行うシステムにおいて、印刷前の閲覧時には、所定の加工処理が施されたデータを閲覧させ、印刷時に会員にのみ配布したプリンタドライバ１４１により、課金を伴なって加工前の状態で印刷させることにより、閲覧時のデータの不正使用を防止することができ、印刷を行う会員に対して確実に課金することができる。
【０１０９】
なお、上記各実施形態及び変形例のいずれか又は全てを組み合わせた構成も全て本発明に含まれるものである。
【０１１０】
これらの図４，図７に示した印刷履歴データ１０１の構成及びその内容はこれに限定されるものではなく、用途や目的に応じて、様々な構成や内容で構成されることは言うまでもない。
【０１１１】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【０１１２】
以下、図９に示すメモリマップを参照して本発明に係る印刷管理システムで読み取り可能なデータ処理プログラムの構成について説明する。
【０１１３】
図９は、本発明に係る印刷管理システムで読み取り可能な各種データ処理プログラムを格納する記録媒体（記憶媒体）のメモリマップを説明する図である。
【０１１４】
なお、特に図示しないが、記録媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１１５】
さらに、各種プログラムに従属するデータも上記ディレクトリに管理されている。また、インストールするプログラムやデータが圧縮されている場合に、解凍するプログラム等も記憶される場合もある。
【０１１６】
本実施形態における図５，図８に示す機能が外部からインストールされるプログラムによって、ホストコンピュータにより遂行されていてもよい。そして、その場合、ＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。
【０１１７】
以上のように、前述した実施形態の機能を実現するソフトウエアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。
【０１１８】
この場合、記録媒体から読み出されたプログラムコード自体が本発明の新規な機能を実現することになり、そのプログラムコードを記憶した記録媒体は本発明を構成することになる。
【０１１９】
プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１２０】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１２１】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１２２】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウエアによって表されるプログラムを格納した記録媒体を該システムあるいは装置に読み出すことによって、そのシステムあるいは装置が、本発明の効果を享受することが可能となる。
【０１２３】
さらに、本発明を達成するためのソフトウェアによって表されるプログラムをネットワーク上のサーバ，データベース等から通信プログラムによりダウンロードして読み出すことによって、そのシステムあるいは装置が、本発明の効果を享受することが可能となる。
【産業上の利用可能性】
【０１２４】
印刷管理サーバ１００が、携帯端末１４０から送信された条件情報を受信したことに応じて、モザイク化した印刷情報を携帯端末１４０に送信する構成を、携帯端末１４０から印刷管理サーバ１００の有する情報の閲覧要求を受信したことに応じて、モザイク化した情報を携帯端末１４０に送信する構成に置き換えることにより、本実施形態で示した印刷管理システムは、各種情報の閲覧システムの印刷管理の用途にも適用できる。
【図面の簡単な説明】
【０１２５】
【図１】本発明の第１実施形態を示す印刷管理システムのシステム構成を示すシステム構成図である。
【図２】図１に示した印刷管理サーバのハードウェア構成を示すブロック図である。
【図３】図１に示した携帯端末のハードウェア構成を示すブロック図である。
【図４】図１に示した印刷履歴データのデータ構造の一例を示す模式図である。
【図５】本発明の印刷管理システムにおける第１の制御処理手順の一例を示すフローチャートである。
【図６】図１に示した印刷管理サーバで生成される印刷情報の一例を示す模式図である。
【図７】本発明の第２実施形態における印刷履歴データ１０１のデータ構造の一例を示す模式図である。
【図８】本発明の印刷管理システムにおける第２の制御処理手順の一例を示すフローチャートである。
【図９】本発明に係る印刷管理システムで読み取り可能な各種データ処理プログラムを格納する記録媒体（記憶媒体）のメモリマップを説明する図である。
【符号の説明】
【０１２６】
１００  印刷管理サーバ
１０１  印刷履歴データ
１０２  ドキュメントデータ記憶部
１０３  画像データ記憶部
１２０  印刷装置
１３０  業務ＰＣ
１４０  携帯端末
１５０  通信回線
【図１】
2005107802.tif 000003
【図２】
2005107802.tif 000004
【図３】
2005107802.tif 000005
【図４】
2005107802.tif 000006
【図５】
2005107802.tif 000007
【図６】
2005107802.tif 000008
【図７】
2005107802.tif 000009
【図８】
2005107802.tif 000010
【図９】
2005107802.tif 000011